(57)【要約】【課題】フレコンバッグの搬送中は吊り紐が抜け出ることはなく、かつ人為的に吊り紐を抜き取る作業は容易に行える吊下げ治具Ａを提供する。【解決手段】フォークリフトのフォークｆに外挿される筒体１と、筒体１の上面に設けられた吊下げ部１０とからなり、吊下げ部１０は、筒体１の上面に横設された支軸１２に傾動自在に取付けられた保持板１１と、保持板１１の前方に立設された前方ストッパー２１と、保持板１１の後方に設置された後方ストッパー３１とからなり、保持板１１は、前端が斜め上方に向くようにスプリングで付勢されており、吊荷重量がかかったとき水平に下がるようになっている。フレコンバッグの吊り紐ｓを保持板１１に引っ掛けるとフレコンバッグの重量で保持板１１が水平になるまで沈み込み、前方ストッパー２１が保持板１１の前方で立っている状態となるのでフレコンバッグを揺動しても、吊り紐ｓが外れることはない。【選択図】図１
2009274775.tif 000002
【特許請求の範囲】
【請求項１】
フォークリフトのフォークに外挿される筒体と、
該筒体の上面に設けられた吊下げ部とからなり、
前記吊下げ部は、前記筒体の上面に横設された支軸に傾動自在に取付けられた保持板と、該保持板の前方に立設された前方ストッパーと、前記保持板の後方に設置された後方ストッパーとからなり、
前記保持板は、常時は、その前端が斜め上方に向くようにスプリングで付勢されており、吊荷重量がかかったとき水平に下がるようになっている
ことを特徴とするフレコンバッグの吊下げ治具。
【請求項２】
前記保持板の上面に隙間をあけてほぼ平行に規制板が取付けられている
ことを特徴とする請求項１記載のフレコンバッグの吊下げ治具。
【請求項３】
前記スプリングが、前記支軸に巻き付けられて前記保持板を上向き付勢するねじりコイルバネと、前記保持板の基端部であって前記支軸より後方の部位を下向きに付勢するコイルバネとからなる
ことを特徴とする請求項１記載のフレコンバッグの吊下げ治具。
【請求項４】
前記保持板のスプリング付勢時における前端高さが、前記前方ストッパーの高さとほぼ同じである
ことを特徴とする請求項１記載のフレコンバッグの吊下げ治具。
【請求項５】
前記筒体が２本であって、互いの基端部が横材で結合されており、
前記吊下げ部が各筒体の上面において、前後に１カ所づつ設けられている
ことを特徴とする請求項１記載のフレコンバッグの吊下げ治具。
【請求項６】
前記横材には、フォークリフトの固定部材に引っ掛ける外れ止め金具が取付けられており、
該外れ止め金具は、前記横材に固定された縦パイプと、該縦パイプ内を昇降する縦棒と、該縦棒の上端に横向きに取付けられたＬ形棒とからなる
ことを特徴とする請求項５記載のフレコンバッグの吊下げ治具。
【発明の詳細な説明】
【技術分野】
【０００１】
本発明は、フレコンバッグの吊下げ治具に関する。さらに詳しくは、フォークリフトでフレコンバッグをトラック等に積み込むために用いる吊下げ治具に関する。
【背景技術】
【０００２】
粉体を詰めて搬送する容器としてフレコンバッグ（正式にはフレキシブルコンテナーバッグと称されるが、以下、フレコンバッグという）が多用されている。このフレコンバッグは樹脂加工布やゴム引き布などの柔軟な材料を用いた折りたたみ可能な筒状容器で、吊上げるための吊り紐を備えている。
【０００３】
このフレコンバッグをトラックの荷台等に積み込むには、クレーンで吊り上げる方法の外、フォークリフトも用いられる。フォークリフトを用いる場合は、フォークに取付けたパレット上に載せる方法があるが、図７に示すように、フォークｆに直接吊り紐ｓを引掛けてフレコンバッグｃｂを吊下げることも行われている。しかし、この場合、フォークリフトＦＬが急ブレーキをかけたときに、フォークｆから吊り紐ｓが滑り落ちる恐れがあって危険であり、法規上も禁止されている。
【０００４】
そこで、フォークに治具を取付けることが工夫され、たとえば、特許文献１にその従来技術が示されている。
この治具は、フォークに挿入される筒状金具の先端に、側面視でＬ形のアングル材を蝶番で取付け、かつその前方にゴムクッションを置いたものである。フレコンバッグを吊るときは、アングル材の上面に吊り紐を置いて、フレコンバッグを吊り下げる。こうすれば、アングル材が一応のストッパーとして機能するようになっている。
吊り紐を抜き取るときは、アングル材が蝶番を中心に前方に回転するので抜き取りやすくなるが、紐を抜き取った直後に、アングル材がゴムクッションの弾発力で元の位置に戻されるようにしたというものである。
【０００５】
しかし、この従来技術では、フォークリフトが急停車したときはフレコンバッグが前方へ揺れるので、その動きによって吊り紐が前方へずれてアングル材を回転させてしまうことがある。このため、抜け止め機能は充分でなく、やはり危険である。
また、ゴムクッションの弾力ではアングル材を元の位置へ戻す力は弱いので、実際にはアングル材を手で戻さなければならず、手間がかかるものである。
【０００６】
【特許文献１】実用新案登録第３０６５６３９号
【発明の開示】
【発明が解決しようとする課題】
【０００７】
本発明は上記事情に鑑み、フレコンバッグの搬送中は吊り紐が抜け出ることはなく、かつ人為的に吊り紐を抜き取る作業は容易に行える吊下げ治具を提供することを目的とする。
【課題を解決するための手段】
【０００８】
第１発明のフレコンバッグの吊下げ治具は、フォークリフトのフォークに外挿される筒体と、該筒体の上面に設けられた吊下げ部とからなり、前記吊下げ部は、前記筒体の上面に横設された支軸に傾動自在に取付けられた保持板と、該保持板の前方に立設された前方ストッパーと、前記保持板の後方に設置された後方ストッパーとからなり、前記保持板は、常時は、その前端が斜め上方に向くようにスプリングで付勢されており、吊荷重量がかかったとき水平に下がるようになっていることを特徴とする。
第２発明のフレコンバッグの吊下げ治具は、第１発明において、前記保持板の上面に隙間をあけてほぼ平行に規制板が取付けられていることを特徴とする。
第３発明のフレコンバッグの吊下げ治具は、第１発明において、前記スプリングが、前記支軸に巻き付けられて前記保持板を上向き付勢するねじりコイルバネと、前記保持板の基端部であって前記支軸より後方の部位を下向きに付勢するコイルバネとからなることを特徴とする。
第４発明のフレコンバッグの吊下げ治具は、第１発明において、前記保持板のスプリング付勢時における前端高さが、前記前方ストッパーの高さとほぼ同じであることを特徴とする。
第５発明のフレコンバッグの吊下げ治具は、第１発明において、前記筒体が２本であって、互いの基端部が横材で結合されており、前記吊下げ部が各筒体の上面において、前後に１カ所づつ設けられていることを特徴とする。
第６発明のフレコンバッグの吊下げ治具は、第５発明において、前記横材には、フォークリフトの固定部材に引っ掛ける外れ止め金具が取付けられており、該外れ止め金具は、前記横材に固定された縦パイプと、該縦パイプ内を昇降する縦棒と、該縦棒の上端に横向きに取付けられたＬ形棒とからなることを特徴とする。
【発明の効果】
【０００９】
第１発明によれば、フレコンバッグの吊り紐を保持板に引っ掛けるとフレコンバッグの重量で保持板が水平になるまで沈み込み、前方ストッパーが保持板の前方で立ち、後方ストッパーが後方で立っている状態となる。この状態でフォークリフトが前後進してフレコンバッグを揺動させても、吊り紐は前後のストッパーにより動けなくなるので、たとえ急ブレーキ等をかけても吊り紐が外れることはない。また、フレコンバッグの搬送後に吊り紐を外すときは、吊り紐を少し持ち上げると保持板は斜め上向きになり、吊り紐を保持板の上面に沿ってずらすだけで、簡単に取り外すことができる。
第２発明によれば、保持板から上方に吊り紐が飛びはねようとしても、規制板がこれを阻止するので、吊り紐が吊下げ部から外れることはない。このため、吊り紐の引っ掛けミスやフレコンバッグの落下を防止できる。
第３発明によれば、常時はねじりコイルバネで保持板を上向き付勢できるが、付勢力が不足するときはコイルバネが付勢力を付加するので、保持板の上向き付勢力を充分に確保できる。
第４発明によれば、フレコンバッグの吊り紐を保持板上に置いたり、引き出すとき、保持板の前端は上向きに傾斜しており、その高さは前方ストッパーとはほぼ同じなので、吊り紐の出し入れをするとき前方ストッパーが邪魔になることはなく、保持板の上面を滑らせるだけで行えるので作業が容易に行える。
第５発明によれば、２本の筒体に共に吊下げ部を設けているので、左右のバランスをとった状態で複数のフレコンバッグを搬送できる。また、計４個の吊下げ部を備えているので、一度に４個までのフレコンバッグを搬送できる。
第６発明によれば、フォークリフトのフォークに吊下げ治具の筒体を挿入した状態で下方に下げていくと、外れ止め金具の下端が地面に当ってＬ形棒が縦パイプ内で上昇し、フォークリフトの固定部材との引っ掛かりが外れる。これによって吊下げ治具の装脱が自在に行える。逆にフォークを上方に上げていくとＬ形棒が縦パイプ内で下降し、Ｌ形棒がフォークリフトの固定部材に引っ掛かり吊下げ治具の抜け止めとして機能する。よって、安全に運搬作業が行える。
【発明を実施するための最良の形態】
【００１０】
つぎに、本発明の実施形態を図面に基づき説明する。
図１は本発明の一実施形態に係る吊下げ治具の使用状態説明図である。図２は図１の吊下げ治具の平面図である。図３は図１の吊下げ治具の側面図である。
【００１１】
図１において、Ａは吊下げ治具を示している。フォークリフトＦＬのフォークは、吊下げ治具Ａの筒体に挿入されているため図示していないが、図示のフォークリフトＦＬは２本のフォークを有する公知のものである。
吊下げ治具Ａは、フォークの本数に合わせて２本の筒体１を有しており、基部で互いに結合したものであるが、筒体１は１本のものであってもよい。図示の筒体１には、前後２個の吊下げ部１０が設けられているが、この吊下げ部１０は１個でもよく、フォークリフトＦＬの吊下げ許容荷重の範囲内であれば３個以上でもよい。
図示のごとく、１ヵ所の吊下げ部１０には、１個のフレコンバッグｃｂが吊下げられる。フォークリフトＦＬは、図示のようにフレコンバッグｃｂを吊下げた状態で走行し、トラックの荷台等へフレコンバッグｃｂを積み込んだり積み降ろしたりすることができる。
【００１２】
図２および図３を参照して、吊下げ治具Ａをさらに詳しく説明する。
本実施形態における吊下げ治具Ａは、２本の筒体１，１がそれぞれの基端部を横材２で互いに結合されている。また、基端部から前方へ全長の１／４ほど離れた位置でも横板３で互いに結合されている。
前記各筒体１は、断面が角筒に形成されたもので、フォークリフトＦＬのフォークを挿入できるようになっている。そして、各筒体１の前方部と中間部には、それぞれ吊下げ部１０が設けられている。したがって、本実施形態では吊下げ部１０は計４個設けられている。
【００１３】
前記各吊下げ部１０は、主として吊り紐を引掛ける保持板１１、前方ストッパー２１、および後方ストッパー３１等から構成されているが、その詳細は後述する。
前記横材２の幅方向の中央には、外れ止め金具４が取付けられている。この外れ止め金具４は、横材２に固定された縦パイプ５と、この縦パイプ５の中に差し込まれた止め金６とからなる。この止め金６は縦棒７と、その上端に横向きに固定されたＬ形棒８とからなり、縦棒７は縦パイプ５内を昇降するようになっており、Ｌ形棒８が横向きに延びて後述するようにフォークリフトの固定部材に引掛け可能となっている。
【００１４】
つぎに、吊下げ部１０の詳細を説明する。
図４において（Ａ）図は吊下げ部の平面図、（Ｂ）図は吊下げ部の側面図、（Ｃ）図は（Ｂ）図におけるＣ−Ｃ線矢視図である。
前記保持板１１は、天板11aと左右の両側板11bからなり、断面逆Ｕ字形に構成された部材であり、筒体１の上面と側面を覆うように配置されている。そして、天板11aと側板11bの接続部は丸みをもつように形成され、後述する吊り紐を傷めずに引掛けることができるようになっている。加えて、天板11aに両側板11bを配設することにより、吊り紐の掛け外し時の保持板１１と筒体１間での指詰め防止効果をも発現することができる。
【００１５】
前記保持板１１の基部における天板11aは部分的に切り欠かれて、その切欠き部分の筒体１上面に支軸１２を支持する２個のブラケット１３，１３が立設されている。この支軸１２はブラケット１３，１３の両側でナット等で締結され、筒体１の上面より少し高い位置で横向きに固定されている。なお、支軸１２にはボルト等を用いてもよい。
また、保持板１１の上面には、ほぼ同じ長さで、幅の狭い規制板１４が設けられている。この規制板１４の基部と保持板１１の基部は互いに重ねて接合されているので、規制板１４と保持板１１は一体の部材となっている。なお、規制板１４の基端を保持板１１の基部に突合せ溶接して一体化してもよい。この規制板１４は吊り紐の飛びはね防止のための部材である。
【００１６】
前記規制板１４の基部は前記支軸１２に溶接等で直接固定するか、あるいはカラーを介して溶接等で固着されている。また、規制板１４の後端および保持板１１の後端は、筒体１の後方（図中右側）に向け少し延びている。したがって、保持板１１と規制板１４は、この支軸１２を中心にして前端部を上げ下げする揺動が可能となっているが、その揺動角度は、保持板１１または規制板１４の後端が筒体１の上面に当ることによって規定されている。すなわち、保持板１１の前端高さは、後述する前ストッパー２１の高さと、ほぼ同じとなっている。
【００１７】
そして、前記支軸１２に巻きつけたねじりコイルバネ１６の両端部は、筒体１の上面に当接させ、中間部は、保持板１１の天板11aに溶接して固着している。このねじりコイルバネ１６の付勢力により、保持板１１は常に先端が斜め上向きになるよう付勢されている。
【００１８】
一方、前記筒体１の上面に立設されたボルト１７が保持板１１および規制板１４の基部を貫いており、このボルト１７に螺合させたナット１８と保持板１１および規制板１４の基部との間には、コイルバネ１９が介装されている。このコイルバネ１９が保持板１１の基端部を下向きに押え付けることによって、前記ねじりコイルバネ１６の付勢力が不足したときにおいても、保持板１１を斜め上方に傾斜させるようになっている。
また、このコイルバネ１９の押付け力は、ボルト１７に螺合されたナット１８を締め込んだり緩めることによって調整することができる。
【００１９】
前記前方ストッパー２１は、立板２２とそれを支える支持棒２３とから構成されている。支持棒２３は立板２２の上端と筒体１の上面を連結するものであるが、その上部は丸みが付くように曲げられて、吊り紐の出し入れの邪魔にならないようにされている。立板２２は筒体１の上面に対し直立したもので、吊り紐が前方に抜け出るのを阻止するストッパーとして機能する。
【００２０】
図４では後方ストッパーの図示を省略したので、図５および図１に基づき後方ストッパー３１を説明する。
後方ストッパー３１は２本の棒材で構成されたもので、側面視でへの字形に曲げられている。この２本の後方ストッパー３１は筒体１の上面において左右両側に立設されている。そして、２本の後方ストッパー３１同士は、１本の横板３２で連結されている。
【００２１】
前記後方ストッパー３１における前方のほぼ直立した直立部31aは、前記支軸１２より少し前方（図中左側）に位置しており、斜めになった傾斜部31bは保持板１１の後端より後方（図中右側）に位置している。
前記直立部31aは、吊り紐が規制板１４の基部下面と保持板１１の基部上面の間の隙間に食い込まないようにするものであり、かつ規制板１４と協働して吊り紐が後方へ飛び出さないようにするストッパーとして機能する。
前記傾斜部31bは、ストッパーであると共に、筒体１を持ち上げたり、フォークリフトＦＬのフォークに差し入れするときの持ち手となるものである。加えて、筒体１に複数の吊下げ部１０を配設した場合、傾斜部31bは筒体１後部の吊下げ部１０に掛けた吊り紐を筒体１より抜き出すときに、支軸１２や吊下げ部１０の後部に配設されるボルト１７やナット１８更にはコイルバネ１９に引っかかる事なく出すことができるとの効果をも呈するものである。
【００２２】
つぎに、本実施形態の吊下げ治具Ａの使用方法を説明する。
図５（Ａ）はフレコンバッグの吊り紐ｓを吊下げ部１０に差し入れるときと抜き出すときの状態を示している。
フレコンバッグは地上や荷台上に置いた状態としておき、吊り紐ｓを手で持って吊下げ部１０に差し入れる。このとき、保持板１１は斜め上向きになっており、前方ストッパー２１さえ通せば、吊り紐ｓは保持板１１における天板11aの天面に沿って滑らせると簡単に保持板１１に引掛けることができる。
また、荷役後に吊り紐ｓを抜き出すときも、保持板１１に沿って引き出せば、斜め上向きに傾斜した天板11aに沿って吊り紐ｓが案内され、前方ストッパー２１に引掛かることなく外へ取り出せる。このため、吊り紐ｓの挿脱が極めて容易である。
なお、吊り紐ｓがワイヤロープ等の弾性度の高い材料のとき、吊り紐ｓから手を離すと、それ自体の弾性で大きな輪に広がることがあるが、そのようなときも規制板１４によって吊り紐ｓの広がりが抑制されるので、引っ掛けミスが生じにくい。
【００２３】
図５（Ｂ）図は荷役中の状態を示している。
同図（Ａ）の状態からフォークｆを持ち上げると、同図（Ｂ）の状態となる。吊り紐ｓにはフレコンバッグ（図示省略）の重量がかかって、保持板１１が押し下げられ、その天板11aは筒体１の上面と平行になる。このとき、前方ストッパー２１の立板２２は保持板１１における天板11aより高くなっているので、吊り紐ｓの抜け止めとして機能する。また、後方ストッパー３１の直立部31aも吊り紐ｓの後方への移動を阻止している。したがって、フォークリフトＦＬの走行中に急発進したり急停止したりしても、吊り紐ｓが外れることはない。
さらに、フォークリフトＦＬのフォークがバウンドしたようなときも規制板１４によって吊り紐ｓが飛びはねることはない。よって、安全にフレコンバッグを運搬することができる。
【００２４】
つぎに、図６に基づき、外れ止め金具４の使い方を説明する。
同図（Ａ）に示すように、フォークリフトのフォークｆに本実施形態の吊下げ治具Ａを差し込み、フォークｆを下げていくと、止め金６の縦棒７が地面に当ってＬ型棒８が縦パイプ５内を上昇する。この状態でフォークリフトの固定部材である横バーｂには干渉しないので、吊下げ治具Ａをフォークｆの奥まで差し込める。
そして、同図（Ｂ）に示すように、フォークｆを上昇させると、縦棒７が下がってＬ型棒８がフォークリフトの横バーｂに引っ掛って吊下げ治具Ａは勝手に抜け出ることはなくなる。なお、縦棒７の長さは、フォークリフトの走行中に地面と干渉しない長さとなっている。したがって、安全にフォークリフトによるフレコンバッグの運搬が行える。荷役が終わった後は、同図（Ａ）に示すように、フォークを下げると止め金６が横バーｂより上方に押し上げられるので、吊下げ治具Ａをフォークｆから抜き出すことが可能となる。
加えて、縦パイプ５と縦棒７の形状を三角や四角等の多角形状としておく場合には、Ｌ型棒８が回転することなく、縦パイプ５内を上下動するので、Ｌ型棒８をフォークリフトの横バーｂに補助作業者がいなくとも的確に自動配設することができる。
【００２５】
以上のように、本発明の吊下げ治具Ａによれば、フレコンバッグをフォークリフトで安全に運搬することができ、また吊り紐ｓの掛け外しも容易なので、安全で作業しやすい荷役が可能となる。
また、左右２本の筒体１上の吊下げ部１０にそれぞれフレコンバッグを吊下げると重量をバランスさせた状態で走行でき、しかも一度に４個のフレコンバッグを搬送することができる。
【図面の簡単な説明】
【００２６】
【図１】本発明の一実施形態に係る吊下げ治具Ａの使用状態説明図である。
【図２】図１の吊下げ治具Ａの平面図である。
【図３】図１の吊下げ治具Ａの側面図である。
【図４】（Ａ）図は吊下げ部１０の平面図、（Ｂ）図は吊下げ部１０の側面図、（Ｃ）図は（Ｂ）図におけるＣ−Ｃ線矢視図である。
【図５】（Ａ）図は吊下げ部１０で吊り紐を出し入れするときの状態説明図、（Ｂ）図は吊下げ部１０でフレコンバッグを吊下げた状態の吊り紐を示す状態説明図である。
【図６】（Ａ）図は吊下げ治具Ａの外れ止め金具を外した状態を示す説明図、（Ｂ）図は外れ止め金具を使用している状態を示す説明図である。
【図７】フレコンバッグのフォークリフトを用いた従来の搬送方法の説明図である。
【符号の説明】
【００２７】
１    筒体
４    外れ止め金具
１０    吊下げ部
１１    保持板
１２    支軸
１４    規制板
１６    ねじりコイルバネ
１９    コイルバネ
２１    前方ストッパー
３１    後方ストッパー
【図１】
2009274775.tif 000003
【図２】
2009274775.tif 000004
【図３】
2009274775.tif 000005
【図４】
2009274775.tif 000006
【図５】
2009274775.tif 000007
【図６】
2009274775.tif 000008
【図７】
2009274775.tif 000009